(57)【要約】【課題】コストや消費電力の増大を抑えると共に、ファン周辺のスペースを不要とした構造により、ファンからの風の風向きを集束、拡散する。【解決手段】ファン１４の噴出し口全体にフィン１８が配置されているため、ファン１４から噴出される風全体を任意の向きに向けることができる。また、可動部を互いに独立してスライドすることで、中央より上側に配置されたフィン１８による風向きと、中央より下側に配置されたフィン１８による風向きとを互いに独立して変えられるので、５つの風向き（すなわち、全体として上方向、全体として下方向、中心への集束方向、拡散方向、平行方向）に対応が可能で、汎用性がある。更に、カバー１９の外形が複数枚のファン１４の外形と同サイズのため、ファン１４の並列配置などファン１４の周辺にスペースが確保できない場合でも対応が可能であり、省スペース化を実現できる。【選択図】図１
2009257108.tif 000002
【特許請求の範囲】
【請求項１】
風を噴出口に噴出するファンと、
前記ファンの噴出口から噴出する風を、その表面の傾斜方向に導風する平板状の複数枚のフィンと、
前記複数枚のフィンのうち予め設定した枚数の前記フィンからなる複数の組のそれぞれにおいて、前記ファンの軸方向に対する傾斜角を同じ組では同一方向に、かつ、異なる組同士では互いに独立して所望の傾斜角にそれぞれ手動で調整する傾斜角調整構造と
を有することを特徴とするファンの風向き制御機構。
【請求項２】
風を噴出口に噴出するファンと、
前記ファンの噴出口から噴出する風を、その表面の傾斜方向に導風する平板状の複数枚のフィンと、
前記複数枚のフィンの中心位置より上側にある２以上の第１のフィンの前記ファンの軸方向に対する各傾斜角を、それぞれ所望の傾斜角に手動で調整する第１の傾斜角調整構造と、
前記複数枚のフィンの中心位置より下側にある２以上の第２のフィンの前記ファンの軸方向に対する各傾斜角を、それぞれ前記第１のフィンの傾斜角とは独立して所望の傾斜角に手動で調整する第２の傾斜角調整構造と
を有することを特徴とするファンの風向き制御機構。
【請求項３】
前記複数枚のフィンのうち前記中心位置にある１枚のフィンは、前記第１及び第２の傾斜角調整構造により、前記第１及び第２のフィンがそれぞれ同一方向に傾斜するよう調整される時は、その調整方向と同一方向に傾斜し、前記第１及び第２の傾斜角調整構造により、前記第１及び第２のフィンがそれぞれ互いに反対方向に傾斜するよう調整される時は、前記ファンの軸方向に調整されることを特徴とする請求項２記載のファンの風向き制御機構。
【請求項４】
前記複数枚のフィンは、各フィンの両端にそれぞれ一体的に形成されたブロックが、平面形状が四角形状の枠であるベースの、所定方向に可動可能な可動部に穿設された溝に嵌合された状態で、中央部に前記ファンに外部の空気を吸入させるための円形の穴部が穿設された固定板に、前記ファンと共に共締めされていることを特徴とする請求項１乃至３のうちいずれか一項記載のファンの風向き制御機構。
【請求項５】
前記ブロックの中心から突設された軸に回動自在に挿入される穴が形成された、平面形状が四角形状の枠であるカバーが前記ベースに取り付けられており、前記可動部の手動での移動方向に応じて前記穴に挿入された軸を中心として前記ブロックを回動させることで、前記フィンの平板部の傾斜角度を可変して、前記ファンからの風の向きを制御することを特徴とする請求項４記載のファンの風向き制御機構。
【請求項６】
ファンの噴出口から噴出された風を、その表面の傾斜方向に導風する平板状の複数枚のフィンのうち、予め設定した枚数の前記フィンからなる組のそれぞれにおいて、前記ファンの軸方向に対する傾斜角を手動で同一方向に調整して前記風を導風すると共に、互いに異なる前記組の前記フィン同士は互いに独立して前記傾斜角を手動で調整して前記風を導風することを特徴とするファンの風向き制御方法。
【請求項７】
ファンの噴出口から噴出された風を、その表面の傾斜方向に導風する平板状の複数枚のフィンの中心位置より上側にある２以上の第１のフィンにより、前記ファンの軸方向に対する各傾斜角を手動で調整して前記風を導風すると共に、前記複数枚のフィンの中心位置より下側にある２以上の第２のフィンの前記ファンの軸方向に対する各傾斜角を、それぞれ前記第１のフィンの傾斜角とは独立して所望の傾斜角に手動で調整して前記風を導風することを特徴とするファンの風向き制御方法。  
【請求項８】
前記複数枚のフィンのうち前記中心位置にある１枚のフィンは、前記第１及び第２の傾斜角調整構造により、前記第１及び第２のフィンがそれぞれ同一方向に傾斜するよう調整される時は、その調整方向と同一方向に傾斜し、前記第１及び第２の傾斜角調整構造により、前記第１及び第２のフィンがそれぞれ互いに反対方向に傾斜するよう調整される時は、前記ファンの軸方向に調整されることを特徴とする請求項７記載のファンの風向き制御方法。
【請求項９】
前記複数枚のフィンは、各フィンの両端にそれぞれ一体的に形成されたブロックが、平面形状が四角形状の枠であるベースの、所定方向に可動可能な可動部に穿設された溝に嵌合された状態で、中央部に前記ファンに外部の空気を吸入させるための円形の穴部が穿設された固定板に、前記ファンと共に共締めされていることを特徴とする請求項６乃至８のうちいずれか一項記載のファンの風向き制御方法。
【請求項１０】
前記ブロックの中心から突設された軸に回動自在に挿入される穴が形成された、平面形状が四角形状の枠であるカバーが前記ベースに取り付けられており、前記可動部の手動での移動方向に応じて前記穴に挿入された軸を中心として前記ブロックを回動させることで、前記フィンの平板部の傾斜角度を可変して、前記ファンからの風の向きを制御することを特徴とする請求項９記載のファンの風向き制御方法。
【発明の詳細な説明】
【技術分野】
【０００１】
本発明はファンの風向き制御機構及び風向き制御方法に係り、特に通信機器などに設置されたファンユニットにおいて、噴出し口に設置されるファンの風向き制御機構及び風向き制御方法に関する。
【背景技術】
【０００２】
通信機器などの装置内部の空気の循環や発熱部の冷却のため、ファンユニットが設置されている。このファンユニットにおいて、噴出し口に設置されるファンの風向き制御機構は、例えば、図１９に示すように回転羽根部分への誤挿入防止のフィンガーガード３の上から風向き制御の板金５を設置して、ファン２から噴出された風の風向きを制御する。ここで、ファン２とフィンガーガード３は、ネジ４で固定板１に取り付けられている。また、風向き制御の板金５は、ネジ６で固定板１に取り付けられている。
【０００３】
このファンの風向き制御機構によれば、図２０Ａの斜視図及び図２０Ｂの側面図に示すように、ファン２から噴出された風を板金５の曲げ方向に従い、上下方向に風向き制御をして、装置内のプリント板７−１、７−２に搭載された発熱する電子デバイス８、９を冷却する。
【０００４】
しかし、このファンの風向き制御機構は、風向き制御が一枚の板金５による１方向のみであり、かつ、ファン２から噴出された風の全体を制御するものではないため、図２０Ａ、図２０Ｂに示すように風全体が電子デバイス８、９の冷却に充てられず効率が悪い。また、ファン２の周辺には板金５を固定するためのスペースが必要であるため、均一に装置内部を冷却するためなどによりファン２を並列配置する場合には、ファン２の周辺にスペースが無いと取付けが困難である。
【０００５】
そこで、ファンからの風向きを調整するために導風構造を備えたファンの風向き制御機構が知られている（例えば、特許文献１参照）。この特許文献１記載のファンの風向き制御機構は、ファンと導風翼とを一体化し、導風翼をモータで回転させることにより、ファン単体で広範囲を冷却することが可能である。
【０００６】
【特許文献１】特開平７−２０８８４４号公報
【発明の開示】
【発明が解決しようとする課題】
【０００７】
しかしながら、特許文献１記載のファンの風向き制御機構は、導風翼の制御に駆動装置が必要であるため、コストや消費電力が増大するという問題がある。
【０００８】
本発明は上記の点に鑑みなされたもので、コストや消費電力の増大を抑えると共に、ファン周辺のスペースを不要とした構造により、ファンからの風の風向きを集束、拡散し得るファンの風向き制御機構及び風向き制御方法を提供することを目的とする。
【課題を解決するための手段】
【０００９】
上記の目的を達成するため、本発明のファンの風向き制御機構は、風を噴出口に噴出するファンと、風を噴出口に噴出するファンと、ファンの噴出口から噴出する風を、その表面の傾斜方向に導風する平板状の複数枚のフィンと、複数枚のフィンのうち予め設定した枚数のフィンからなる複数の組のそれぞれにおいて、ファンの軸方向に対する傾斜角を同じ組では同一方向に、かつ、異なる組同士では互いに独立して所望の傾斜角にそれぞれ手動で調整する傾斜角調整構造とを有することを特徴とする。
【００１０】
また、上記の目的を達成するため、本発明のファンの風向き制御方法は、ファンの噴出口から噴出された風を、その表面の傾斜方向に導風する平板状の複数枚のフィンのうち、予め設定した枚数のフィンからなる組のそれぞれにおいて、ファンの軸方向に対する傾斜角を手動で同一方向に調整して風を導風すると共に、互いに異なる組のフィン同士は互いに独立して傾斜角を手動で調整して風を導風することを特徴とする。
【発明の効果】
【００１１】
本発明によれば、コストや消費電力の増大を抑えると共に、ファンから噴出される風全体を制御でき、かつ、風の噴出しを集束、拡散させることができる。また、本発明によれば、複数枚のファンが取り付けられたベースをファンと共に固定板に共締めすることで、ベースをフィンガーガードの代わりにできるではなく、ファン周辺のスペースを不要にできる。
【発明を実施するための最良の形態】
【００１２】
次に、本発明の実施形態について図面と共に詳細に説明する。
【００１３】
図１は本発明になるファンの風向き調整機構の一実施形態の斜視図、図２は本発明になるファンの風向き調整機構の一実施形態の分解斜視図、図３は図２中のＡ部の拡大図、図４は図２中のＢ部の拡大図を示す。
【００１４】
図１及び図２において、平面形状が四角形状の枠であるベース１５は、ファン１４とネジ１６にて固定板１３に共締めされる。例えば７枚の平面長方形状の平板がその厚さ方向に等間隔で配置された導風翼であるフィン１８は、その両端に図３の拡大図に示すように丸軸１８ａとブロック１８ｂを有する。丸軸１８ａは、大略立方体形状のブロック１８ｂの外側の中心部に突設されている。丸軸１８ａとブロック１８ｂとは、フィン１８の平面長方形状の平板部と一体的に構成されているため、フィン１８の平面長方形状の平板部は、ブロック１８ｂの回動角度に対応して傾斜する。
【００１５】
丸軸１８ａは、カバー１９の両側面にある図４の拡大図に示す穴１９ａに回動自在に挿入される。ブロック１８ｂは、図２に示す可動部１７ａ、１７ｂの溝に収まるように組み合わされる。これにより、フィン１８は、ファン１４の噴出し口前方に配置されると共に、丸軸１８ａを支点としてブロック１８ｂの回動角に応じて上下方向に可動自在な構成とされる。
【００１６】
平面形状が四角形状の枠であるカバー１９は、四隅に図４に示す爪１９ｂを有しており、可動部１７ａ、１７ｂを組み合わせて、爪１９ｂをベース１５の溝１５ａに引っ掛ける構造になっている。このカバー１９が左右両側面に形成された穴１９ａに、フィン１８の両端にある丸軸１８ａが嵌入された状態で、かつ、ブロック１８ｂが可動部１７ａ、１７ｂの溝に嵌合された状態で、カバー１９と共にベース１５に取り付けられる。また、図２に示すように、固定板１３のファン１４と対向する箇所には円形の穴部１３ａが貫通穿設されている。
【００１７】
上記の本実施形態のファンの風向き調整機構は、図５Ａの斜視図及び図５Ｂの側面図に示すように、装置内のプリント板２０−１、２０−２がファン１４の風の吹き出し方向に対して、上側に配置されている場合、フィン１８を上方向に向けることにより、ファン１４から噴出される風全体を、プリント板２０−１、２０−２に搭載された発熱する電子デバイス２１、２２の冷却に充てることができる。
【００１８】
次に、本実施形態の動作について、図６〜図１７と共に説明する。なお、各図中、図１、図２と同一構成部分には同一符号を付してある。図６に示す本実施形態のファンの風向き調整機構の斜視図（図１の斜視図と同じ）において、Ｃで示す部分の拡大図を図８（Ａ）に、Ｃで示す部分のカバー１９を取り外した状態の側面図を図７に、拡大斜視図を図８（Ｂ）に示す。図７、図８（Ａ）、（Ｂ）において、ベース１５とカバー１９との間にある可動部２５ａ、２５ｂは、両側面に設けた突起２５ｃ、２５ｄによりベース１５面上をスライドできる構造になっている。
【００１９】
可動部２５ａ、２５ｂを手動で上方向又は下方向にスライドすると、ブロック１８ｂが可動部２５ａ、２５ｂの溝に沿って、フィン１８の軸１８ａを中心に回動する。これにより、フィン１８を所望の傾斜角（ファン１４の軸方向に対するフィン１８の平面の角度）だけ傾かせることができる。
【００２０】
ファン１４は、その回転部が回転することにより、固定板１３の穴部１３ａを通して外部から空気（気体）を吸入し、更に噴出口からその空気を風として噴出する。噴出口前方にはフィン１８が設けられているので、フィンの傾斜角に応じてファン１４から噴出された風の向きを制御することができる。ここで、可動部２５ａ、２５ｂを所定の位置に設定した時は、図７に示すように、ファン１４から噴出される風を、ファン１４の軸方向に導風する。
【００２１】
図９、図１０は、可動部２５ａ、２５ｂの両方を上記の所定の位置から下側にスライドして、複数枚のフィン１８をすべて同一方向に傾けた状態の斜視図、カバー１９を取り外した状態の側面図を示す。可動部２５ａ、２５ｂの両方を下側にスライドすると、ブロック１８ｂが可動部２５ａ、２５ｂの溝に沿って、フィン１８の軸１８ａを中心に時計方向に所定角度回動するため、複数枚のフィン１８の平板部は図１０に示すようにブロック１８ｂと一体的に時計方向に回動し、ファン１４から噴出される風を上方向に導風するように制御する。
【００２２】
図１１、図１２は、可動部２５ａ、２５ｂの両方を上記の所定の位置から上側にスライドして、複数枚のフィン１８をすべて同一方向に傾けた状態の斜視図、カバー１９を取り外した状態の側面図を示す。可動部２５ａ、２５ｂの両方を上側にスライドすると、ブロック１８ｂが可動部２５ａ、２５ｂの溝に沿って、フィン１８の軸１８ａを中心に反時計方向に所定角度回動するため、複数枚のフィン１８の平板部は図１２に示すようにブロック１８ｂと一体的に反時計方向に回動し、ファン１４から噴出される風を下方向に導風するように制御する。
【００２３】
図１３、図１４は、可動部２５ａを下側、可動部２５ｂを上側にスライドして、複数枚のフィン１８のうち中央より上側に配置されたフィン１８と中央より下側に配置されたフィンとを互いに相反する方向に傾けて、ファン１４から噴出される風を上下方向に拡散させた状態の斜視図、カバー１９を取り外した状態の側面図を示す。
【００２４】
ここで、複数枚のフィン１８のうち中央のフィン１８のみは、ファンの軸方向を向いている。すなわち、図１３にＤで示す可動部２５ａ、２５ｂが交差する部分においては、図１５（Ａ）の拡大斜視図に、またカバー１９を取り外した図１５（Ｂ）の拡大斜視図にそれぞれ詳細に示すように、中央にあるフィン１８のブロック１８ｂが可動部２５ａ、２５ｂの双方から押されてフィン１８がどちらにも傾かずに、ファン１４の軸方向（傾斜角０度）を向いている。
【００２５】
図１６、図１７は、可動部２５ａを上側、可動部２５ｂを下側にスライドして、複数枚のフィン１８のうち中央より上側に配置されたフィン１８と中央より下側に配置されたフィンとを互いに近付く方向に傾けて、ファン１４から噴出される風を中心方向に集束させた状態の斜視図、カバー１９を取り外した状態の側面図を示す。
【００２６】
ここで、複数枚のフィン１８のうち中央のフィン１８のみは、ファンの軸方向を向いている。すなわち、図１６にＥで示す可動部２５ａ、２５ｂが交差する部分においては、図１８（Ａ）の拡大斜視図に、またカバー１９を取り外した図１８（Ｂ）の拡大斜視図にそれぞれ詳細に示すように、中央にあるフィン１８のブロック１８ｂが可動部２５ａ、２５ｂの双方から引っ張られてフィン１８がどちらにも傾かずに、ファン１４の軸方向（傾斜角０度）を向いている。
【００２７】
このように、本実施形態によれば、図２に示すようにファン１４の噴出し口全体にフィン１８が配置されているため、ファン１４から噴出される風全体を任意の向きに向けることができる。また、本実施形態によれば、図１９の機構による上又は下方向のみの風向き制御に加えて、図１３、図１４に示したように上下方向に拡散させて、広範囲に風を送ることができ、また、図１６、図１７に示したように、風向きを中心方向に集束させて、集中的に風を送ることもできる。
【００２８】
また、本実施形態によれば、可動部２５ａ、２５ｂを互いに独立してスライドすることで、中央より上側に配置されたフィン１８による風向きと、中央より下側に配置されたフィン１８による風向きとを互いに独立して変えられるので、５つの風向き（すなわち、全体として上方向、全体として下方向、中心への集束方向、拡散方向、平行方向）に対応が可能で、汎用性がある。また、上記の可動部２５ａ、２５ｂのスライドは手動で行うものであり、導風翼の制御に駆動装置が不要であるので、駆動装置が必要な風向き制御装置に比べてコスト及び消費電力の低減を実現できる。
【００２９】
更に、本実施形態では、図１に示したように、カバー１９の外形が複数枚のファン１４の外形と同サイズのため、図１９の機構のようなファン２の周辺に板金５を固定するためのスペースが不要であり、ファン１４の並列配置などファン１４の周辺にスペースが確保できない場合でも対応が可能であり、省スペース化を実現できる。
【図面の簡単な説明】
【００３０】
【図１】本発明のファンの風向き調整機構の一実施形態の斜視図である。
【図２】本発明のファンの風向き調整機構の一実施形態の分解斜視図である。
【図３】図２中のＡ部の拡大図である。
【図４】図２中のＢ部の拡大図構成である。
【図５Ａ】本発明の一実施形態と機器内の電子デバイス等を示す斜視図である。
【図５Ｂ】本発明の一実施形態と機器内の電子デバイス等を示す側面図である。
【図６】本発明の動作を説明する斜視図（その１）である。
【図７】本発明の動作を説明する側面図（その１）である。
【図８】図６のＣ部の詳細を示す斜視図である。
【図９】本発明の動作を説明する斜視図（その２）である。
【図１０】本発明の動作を説明する側面図（その２）である。
【図１１】本発明の動作を説明する斜視図（その３）である。
【図１２】本発明の動作を説明する側面図（その３）である。
【図１３】本発明の動作を説明する斜視図（その４）である。
【図１４】本発明の動作を説明する側面図（その４）である。
【図１５】図１３のＤ部の詳細を示す斜視図である。
【図１６】本発明の動作を説明する斜視図（その５）である。
【図１７】本発明の動作を説明する側面図（その５）である。
【図１８】図１６のＥ部の詳細を示す斜視図である。
【図１９】ファンの風向き制御機構の一例の斜視図である。
【図２０Ａ】図１９のファンの風向き制御機構と機器内の電子デバイス等を示す斜視図である。
【図２０Ｂ】図１９のファンの風向き制御機構と機器内の電子デバイス等を示す側面図である。
【符号の説明】
【００３１】
１３  固定板
１４  ファン
１５  ベース
１６  ネジ
１７ａ、１７ｂ、２５ａ、２５ｂ  可動部
１８  フィン
１８ａ  フィン軸
１８ｂ  ブロック
１９  カバー
２５ｃ、２５ｄ  突起
【図１】
2009257108.tif 000003
【図２】
2009257108.tif 000004
【図３】
2009257108.tif 000005
【図４】
2009257108.tif 000006
【図５Ａ】
2009257108.tif 000007
【図５Ｂ】
2009257108.tif 000008
【図６】
2009257108.tif 000009
【図７】
2009257108.tif 000010
【図８】
2009257108.tif 000011
【図９】
2009257108.tif 000012
【図１０】
2009257108.tif 000013
【図１１】
2009257108.tif 000014
【図１２】
2009257108.tif 000015
【図１３】
2009257108.tif 000016
【図１４】
2009257108.tif 000017
【図１５】
2009257108.tif 000018
【図１６】
2009257108.tif 000019
【図１７】
2009257108.tif 000020
【図１８】
2009257108.tif 000021
【図１９】
2009257108.tif 000022
【図２０Ａ】
2009257108.tif 000023
【図２０Ｂ】
2009257108.tif 000024